(57)【要約】【課題】加熱時に発生する蒸気を、冷却水を収容したタンクに導いて復水する炊飯器において、タンクを着脱自在に備えて、清掃や水量調節を容易に行えるようにするとともに、その装着忘れも防止することができる炊飯器を提供すること。【解決手段】タンク６が炊飯器本体２に装着されていないときには第１部位に位置し、タンク６が炊飯器本体２へ装着されると、タンク６によって押圧されて、第１部位から第２部位に変位する第１作動片２１０を炊飯器本体２に設ける。第１作動片２１０の第１部位は、外蓋３が第１作動片２１０に当たって炊飯器本体２の上部を覆う状態の閉止位置に来るのを妨げる位置であり、第１作動片２１０の第２部位は、外蓋３が炊飯器本体２の上部を覆う状態の閉止位置に来るのを妨げない位置である。【選択図】図６
2010042047.tif 000002
【特許請求の範囲】
【請求項１】
被加熱物を入れる内鍋と、
加熱要素が配置されていて、前記内鍋を収容して加熱する炊飯器本体と、
前記炊飯器本体の上部を開閉自在に覆う外蓋と、
前記炊飯器本体に着脱自在に装着されて、前記被加熱物から発生する蒸気を取り込んで復水するタンクとを備え、
前記タンクが所定の位置に装着されていない場合には、前記外蓋を前記炊飯器本体上部を覆う状態の閉止位置に固定できないようにしている、ことを特徴とする炊飯器。
【請求項２】
前記タンクが前記炊飯器本体に装着されていないときには第１部位に位置し、前記タンクが炊飯器本体へ装着されると、前記タンクによって押圧されて、前記第１部位から第２部位に変位する第１作動片を前記炊飯器本体に設け、
前記第１作動片の第１部位は、前記外蓋が前記第１作動片に当たって前記炊飯器本体上部を覆う状態の閉止位置に来るのを妨げる位置であり、
前記第１作動片の第２部位は、前記外蓋が前記炊飯器本体上部を覆う状態の閉止位置に来るのを妨げない位置である、ことを特徴とする請求項１記載の炊飯器。
【請求項３】
前記タンクは上部が開口したタンク本体と該タンク本体の上部を着脱自在に覆うタンク蓋とを有し、前記第１作動片は、前記タンク蓋が前記タンク本体に装着された状態で前記タンクが前記炊飯器本体に装着されることにより、前記第１部位から第２部位に変位する、ことを特徴とする請求項２記載の炊飯器。
【請求項４】
前記炊飯器本体に設けられ、前記外蓋を前記炊飯器本体上部を覆う状態の閉止位置に固定する係止部を有した外蓋係止部と、
前記外蓋に設けられ、前記外蓋係止部に係止可能な外蓋保持部材と、
上下に移動可能であり、上側位置にあるときは前記外蓋係止部の前記係止部を占有し、下側位置にあるときは前記係止部を開放する第２作動片とを備え、
前記第２作動片は、
前記タンクが炊飯器本体へ装着されていないときには、前記上側位置にあり、前記タンクが炊飯器本体へ装着されると、前記タンクによって押下げられて、前記上側位置から前記下側に変位する、ことを特徴とする請求項１記載の炊飯器。
【請求項５】
前記炊飯器本体に設けられ、前記外蓋を前記炊飯器本体上部を覆う状態の閉止位置に固定する係止部を有した外蓋係止部と、
前記外蓋に設けられ、前記外蓋係止部と係止可能な外蓋保持部材とを備え、
前記外蓋係止部は上下移動可能に前記炊飯器本体に設けられており、
前記外蓋係止部は、
前記タンクが炊飯器本体へ装着されていないときには、外蓋保持部材を係止できない上側位置にあり、前記タンクが炊飯器本体へ装着されると、前記タンクによって押下げられて、外蓋保持部材を係止可能な前記下側に変位する、ことを特徴とする請求項１記載の炊飯器。
【請求項６】
被加熱物を入れる内鍋と、
加熱要素が配置されていて、前記内鍋を収容して加熱する炊飯器本体と、
前記炊飯器本体の上部を開閉自在に覆う外蓋と、
前記炊飯器本体に着脱自在に装着されて、前記被加熱物から発生する蒸気を取り込んで復水するタンクと、
前記タンクの前記炊飯器本体への装着の有無を検知するセンサとを備え、
前記センサが前記タンクの装着を検知しない間は、前記加熱要素への通電を遮断状態としている、ことを特徴とする炊飯器。
【発明の詳細な説明】
【技術分野】
【０００１】
本発明は、被加熱物（米や水等）を収容した内鍋を加熱することで調理を行なう炊飯器に関するものであり、特に、加熱時に発生した蒸気を冷却して復水する構造の炊飯器に関する。
【背景技術】
【０００２】
従来から、加熱時に発生する蒸気を、冷却水を収容した容器内に導いて冷却水中に放散させることで復水するようにした炊飯器が存在する。そのようなものとして、「フレームと、このフレーム内に設けた収納ケースと、この収納ケース内に収納自在に設けた内鍋と、前記内鍋を覆う開閉自在な蓋体と、前記フレームの一側に設けた水容器と、前記内鍋と前記水容器とを連通する蒸気通路とを備え、前記内鍋内から発生する蒸気を前記蒸気通路を介して水容器内に導入し水と接触して液化する電気炊飯器」が提案されている（たとえば、特許文献１参照）。
【０００３】
【特許文献１】特開平１０−１９２１３４号公報
【発明の開示】
【発明が解決しようとする課題】
【０００４】
冷却水を収容した容器（タンク）内は、雑菌や臭いの発生原因となりやすいため、容器を炊飯器から取り外して、清掃できるようにしておくのが好ましい。また、水の交換や水量調節のためにも、容器を本体から取り外して、持ち運べるようにしておくのが好ましい。しかし、容器を炊飯器から取り外し自在にした場合には、容器の装着を忘れたまま、炊飯を開始してしまうおそれがある。
【０００５】
本発明は、上記のような課題を解決するためになされたもので、加熱時に発生する蒸気を、冷却水を収容した容器に導いて復水する炊飯器において、容器を着脱自在に備えて、清掃や水量調節を容易に行えるようにするとともに、その装着忘れも防止することができる、炊飯器を提供することを目的とする。
【課題を解決するための手段】
【０００６】
本発明に係る炊飯器は、被加熱物を入れる内鍋と、加熱要素が配置されていて、前記内鍋を収容して加熱する炊飯器本体と、前記炊飯器本体の上部を開閉自在に覆う外蓋と、前記炊飯器本体に着脱自在に装着されて、前記被加熱物から発生する蒸気を取り込んで復水するタンクとを備え、前記タンクが所定の位置に装着されていない場合には、前記外蓋を前記炊飯器本体上部を覆う状態の閉止位置に固定できないようにするものである。
【０００７】
また、被加熱物を入れる内鍋と、加熱要素が配置されていて、前記内鍋を収容して加熱する炊飯器本体と、前記炊飯器本体の上部を開閉自在に覆う外蓋と、前記炊飯器本体に着脱自在に装着されて、前記被加熱物から発生する蒸気を取り込んで復水するタンクと、前記タンクの前記炊飯器本体への装着の有無を検知するセンサとを備え、前記センサが前記タンクの装着を検知しない間は、前記加熱要素への通電を遮断状態とするものである。
【発明の効果】
【０００８】
本発明に係る炊飯器によれば、タンクを炊飯器本体から外せるため、タンクの清掃や水の出し入れが容易に行える。また、タンクが所定位置にない場合には、炊飯器の外蓋が閉まらないため、あるいは炊飯が開始されないため、使用者は容易に異常に気づき、点検等を行うことで、タンクの装着を確実に行うことができる。このため、蒸気漏れの防止が可能となる。
【発明を実施するための最良の形態】
【０００９】
以下、図面を参照しながら本発明の実施の形態について説明する。
実施の形態１．
図１は本発明の実施の形態１に係る炊飯器１００の全体構成を示す斜視図である。炊飯器１００は、調理される被加熱物が入る着脱自在の内鍋１（内釜とも称す）と、内鍋１０を収容して加熱する炊飯器本体２と、炊飯器本体２にヒンジ結合されて、炊飯器本体２の上部を開閉自在に覆う外蓋３と、外蓋３の内側面に着脱自在に装着される内蓋４及び蒸気導管５とを有する。さらに、炊飯時（又は加熱時）に内鍋１で発生した蒸気を、内蓋４及び蒸気導管５を介して取り込んで復水するタンク（水槽）６を、炊飯器本体２に着脱自在に備える。
図２に炊飯器本体２からタンク６を取り外した状態の斜視図を示した。図２に示すように、タンク６はその形状に合わせて形成された炊飯器本体２の底板２１及び前面２２に嵌合するように取り付けられる。タンク６は、上部が開口したタンク本体６１と、タンク本体６１の上部を開閉自在に覆うタンク蓋６２を備える。タンク蓋６２には、炊飯時に発生する蒸気を取り込む蒸気取込口６２ａが形成されている。
外蓋３は、それを閉めた閉止時、炊飯器本体２の外蓋係止部２０１に、外蓋３の外蓋保持部材３０１が噛み合って係止することで、炊飯器本体２の上部を覆った状態（閉止状態）に固定される。外蓋３を開ける際には、一端が外蓋３の前面に位置するラッチ３０２を押し込むことで、外蓋保持部材３０１の端部が押されて外蓋保持部材３０１が回転し、それにより外蓋係止部２０１との噛み合いによる係止が解除されて、外蓋３が開く。
【００１０】
図３は外蓋３、内蓋４及び蒸気導管５を一体化する前の分解図である。外蓋３は、既に説明した外蓋保持部材３０１、ラッチ３０２を有する。また、外蓋３は、蒸気導管５を収容する蒸気導管５の形状に対応した蒸気導管収容部３０３を有し、その周囲に蒸気導管５を固定する蒸気導管保持部材３０４を有する。さらに、内蓋４を配置する領域には、裏側にヒータが配置された放熱板３０５と、内蓋温度センサ３０６と、内蓋４を固定する内蓋保持部材３０７とを有する。
内蓋４は、円盤状のステンレス４１、その周囲に配置されたパッキン４２、円盤状ステンレスを支持する枠体４３などからなっている。内蓋４の枠体４３には、内蓋４を外蓋３の内蓋保持部材３０７に固定する内蓋係止部４０１が設けられている。また、内蓋４には、蒸気を通す内蓋蒸気穴４０２が複数形成されている。
蒸気導管５は、蒸気導管係止部５０１を有し、蒸気導管５が外蓋３の蒸気導管収容部３０３に収容されると、蒸気導管係止部５０１が蒸気導管保持部材３０４と噛み合って係止することで、外蓋３に固定される。蒸気導管５は導管基体５１と導管基体５１に対して開閉自在の導管蓋体５２から構成され、蒸気導管５の一端には内蓋４の内蓋蒸気穴４０２と接続される内蓋接続部５０２を、他端にはタンク６の蒸気取込穴６２ａと接続されるタンク接続部５０３を有している。
【００１１】
図４は外蓋を閉じた状態の炊飯器の内部を示す内部構成図である。炊飯器本体２には、ヒンジ３１とバネ３２を介して、内蓋４が装着された外蓋３が取り付けられている。外蓋３の外蓋保持部材３０１は、炊飯器本体２の外蓋係止部２０１に噛み合って固定されている。また、ラッチ３０２が、支軸３０１ａを中心に回転自在の外蓋保持部材３０１の一端を押圧可能に配置されている。また、外蓋３の上部には、炊飯の操作や表示のための操作基板３０８を配置している。
炊飯器本体２には、内鍋１が収納されており、内鍋１の上部が内蓋４により覆われている。また、炊飯器本体２には、内鍋１を加熱するための加熱コイル２０２、加熱コイル２０２を駆動する電源基板２０３などが設けられている。
さらに、タンク６が炊飯器本体２の前面２２で、炊飯器本体２の底板２１の上に装着されている。
【００１２】
以上のような実施の形態１の炊飯器において、タンク６を炊飯器本体２に装着していない状態では、外蓋３が閉まらないようにしている。以下において、その一例を実施例を基に説明する。
【実施例】
【００１３】
実施例１．
図４はタンク６が炊飯器本体２に装着されて外蓋３が閉まっている状態の炊飯器の実施例１の構成図、図５はタンク６が炊飯器本体２に装着されておらず外蓋３が閉まらない状態の炊飯器の実施例１の構成図である。
ここでは、炊飯器本体２の前面２２から突出した水平部２１０ａと、炊飯器本体２の上方に突出した垂直部２１０ｂとを有し、水平方向に移動可能な第１作動片２１０を備える。第１作動片２１０はバネ等の弾性材２１１により外側に向かって付勢されている。
タンク６が炊飯器本体２に装着されていない場合は、第１作動片２１０の垂直部２１０ｂの先端に、外蓋３の作動片対応部３１０が当たって、外蓋３を最終的な閉止位置まで移動できないようにしており、このため外蓋３を炊飯器本体２の上面を覆った状態の閉止位置に固定できない。これによって、利用者は、異常を察知でき、タンク６の装着を確実に行うことが可能となる。
一方、タンク６が炊飯器本体２に装着されると、タンク本体６１の側面が第１作動片２１０の水平部２１０ａを押圧して弾性材２１１を圧縮し、第１作動片２１０を内側に移動させる。これにより、外蓋３の作動片対応部３１０に当たっていた第１作動片２１０の垂直部２１０ｂの先端が、作動片対応部３１０から外れて、外蓋３を最終的な閉止位置まで移動できるようにして、外蓋３の外蓋保持部材３０１が炊飯器本体２の外蓋係止部２０１に噛み合って係止できるようにしている。従って、タンク６が炊飯器本体２に装着されると、外蓋３が完全に閉まり、引き続く操作が可能となる。
なお、図６に実施例１でタンク６が装着された状態の第１作動片の部分の拡大図を、図７に実施例１でタンク６が未装着状態の第１作動片の部分の拡大図を、それぞれ示しておいた。
【００１４】
実施例２．
実施例２では、タンク本体６１の側面を利用して第１作動片２１０を押圧する代わりに、図８に示すように、タンク蓋６２の側面を利用して、タンク蓋６２が所定位置に装着された場合に、第１作動片２１０を押圧するようにしている。タンク蓋６２を備える場合には、タンク蓋６２の付け忘れを防止する観点から、タンク蓋６２を利用する方がより好ましい。
【００１５】
実施例３．
図９はタンク６が炊飯器本体２に装着されて外蓋３が閉まっている状態の炊飯器の実施例３の構成図、図１０はタンク６が炊飯器本体２に装着されておらず外蓋３が閉まらない状態の炊飯器の実施例３の構成図である。
ここでは、炊飯器本体２の前面から突出した水平部２２０ａと、炊飯器本体２の上方に突出した垂直部２２０ｂとを有し、上下方向に移動可能な第２作動片２２０を備えている。第２作動片２２０はバネ等の弾性材２２１により上方に向かって付勢されている。
タンク６が炊飯器本体２に装着されていない場合、第２作動片２２０は上側位置にあって、垂直部２２０ｂの先端が、炊飯器本体２の外蓋係止部２０１を占有している。このため、外蓋３の外蓋保持部材３０１が外蓋係止部２０１に係止できず、外蓋３を閉止位置に固定することはできない。従って、利用者は、異常を察知でき、タンク６の装着を確実に行うことが可能となる。
一方、タンク６が炊飯器本体２に装着されると、タンク蓋６２の側壁底面が第２作動片２２０の水平部２２０ａを押圧して弾性材２２１を圧縮し、第２作動片２２０を下側位置に移動させる。これにより、炊飯器本体２の外蓋係止部２０１に位置していた第２作動片２２０の垂直部２２０ｂが、炊飯器本体２の外蓋係止部２０１から外れて外蓋係止部２０１を開放して、外蓋３の外蓋保持部材３０１が炊飯器本体２の外蓋係止部２０１と噛み合って係止できるようにしている。従って、タンク６が炊飯器本体２に装着されると、外蓋３が完全に閉まり、引き続く操作が可能となる。
なお、図１１に実施例３でタンク６が装着された状態の第２作動片の部分の拡大図を、図１２に実施例３でタンク６が未装着状態の第２作動片の部分の拡大図を、それぞれ示しておいた。
【００１６】
なお、タンク蓋６２の側壁底面を利用して第２作動片２２０を下方に押圧する代わりに、タンク本体６１に突起を形成しておき、その突起を利用して、第２作動片２２０を押圧するようにすることもできる。ただし、タンク蓋６２を備える場合には、タンク蓋６２の付け忘れを防止する観点から、タンク蓋６２を利用する方がより好ましい。
また、外蓋係止部２０１を第２作動片２２０のように上下移動可能にしておき、外蓋係止部２０１は、タンク６が炊飯器本体２へ装着されていないときには、外蓋保持部材３０１を係止できない上側位置にあり、タンク６が炊飯器本体２へ装着されると、タンク６によって押下げられて、外蓋保持部材３０１を係止可能な下側位置に変位するようにしてもよい。
【００１７】
実施の形態２．
実施の形態１では、タンク６を炊飯器本体２に装着していない状態では、外蓋３が閉まらないようにしていたが、実施の形態２は、タンク６を炊飯器本体２に装着していない状態では、炊飯器の電源をＯＮしても炊飯が開始されないようにしたものである。これは、例えば、炊飯器本体２にタンク６の炊飯器本体２への装着の有無を検知するセンサ（例えばリードスイッチ、マイクロスイッチなど）を備えておき、そのセンサがタンク６の装着を検知しない間は、加熱要素である加熱コイル２０２への通電回路を遮断状態とすることで実現できる。
図１３は本発明の実施の形態２に係る炊飯器の全体構成を示す斜視図である。図１３は基本的には図２と同じであり、相違点は以下の３点である。
（１）タンク６の側面または底面に磁石（図示せず）を設けている。
（２）タンクが炊飯器本体２に装着された際に対面することとなる炊飯器本体２の対応部位に、リードスイッチ２３を配置しておく。
（３）リードスイッチ２３は加熱コイル２０２への通電回路の一部を構成しており、タンク６が炊飯器本体２に未装着の場合には回路を遮断（ＯＦＦ状態）し、タンク６が炊飯器本体２に装着されると、タンク６に設けた磁石の磁力により回路が接続され（ＯＮ状態）、加熱コイル２０２への通電が可能な状態となる。
【００１８】
実施の形態２によれば、炊飯器本体２にタンク６が装着されていないと、加熱コイル２０２へ電力が供給されず、炊飯が開始されないため蒸気漏れを防止できる。また、利用者は炊飯器の異常を察知して、タンク６の装着を行うことが可能となる。
なお、実施の形態１の場合においても、外蓋３が閉まらない間は加熱コイル２０２への通電回路を遮断状態とし、外蓋３が正常に閉まった場合に、加熱コイル２０２への通電を可能な状態とするようにしてもよい。
【図面の簡単な説明】
【００１９】
【図１】本発明の実施の形態１に係る炊飯器の全体構成を示す斜視図。
【図２】炊飯器本体からタンクを取り外した状態の斜視図。
【図３】外蓋、内蓋及び蒸気導管を一体化する前の分解図。
【図４】タンクが装着されて外蓋が閉まっている状態の実施例１の構成図。
【図５】タンクが未装着で外蓋が閉まらない状態の実施例１の構成図。
【図６】実施例１でタンクが装着された状態の第１作動片の部分の拡大図。
【図７】実施例１でタンクが未装着状態の第１作動片の部分の拡大図。
【図８】タンクが装着されて外蓋が閉まっている状態の実施例２の構成図。
【図９】タンクが装着されて外蓋が閉まっている状態の実施例３の構成図。
【図１０】タンクが未装着で外蓋が閉まらない状態の実施例３の構成図。
【図１１】実施例３でタンクが装着された状態の第２作動片の部分の拡大図。
【図１２】実施例３でタンクが未装着状態の第２作動片の部分の拡大図。
【図１３】本発明の実施の形態２に係る炊飯器の全体構成を示す斜視図。
【符号の説明】
【００２０】
１  内鍋、２  炊飯器本体、３  外蓋、４  内蓋、５  蒸気導管、６  タンク、２１  炊飯器本体の底板、２２  炊飯器本体の前面、２３  リードスイッチ、４１  ステンレス、４２  パッキン、４３  枠体、５１  導管基体、５２  導管蓋体、６１  タンク本体、６２  タンク蓋、６２ａ  蒸気取込口、１００  炊飯器、２０１  外蓋係止部、２０２  加熱コイル、２０３  電源基板、２１０  第１作動片、２１０ａ  水平部、２１０ｂ  垂直部、２１１  弾性体、２２０  第２作動片、２２０ａ  水平部、２２０ｂ  垂直部、２１１  弾性体、３０１  外蓋保持部材、３０２  ラッチ、３０３  蒸気導管収容部、３０４  蒸気導管保持部材、３０５  放熱板、３０６  温度センサ、３０７  内蓋保持部材、３０８  操作基板、３１０  作動片対応部、４０１  内蓋係止部、４０２  内蓋蒸気穴、５０１  蒸気導管係止部、５０２  内蓋接続部、５０３  タンク接続部。
【図１】
2010042047.tif 000003
【図２】
2010042047.tif 000004
【図３】
2010042047.tif 000005
【図４】
2010042047.tif 000006
【図５】
2010042047.tif 000007
【図６】
2010042047.tif 000008
【図７】
2010042047.tif 000009
【図８】
2010042047.tif 000010
【図９】
2010042047.tif 000011
【図１０】
2010042047.tif 000012
【図１１】
2010042047.tif 000013
【図１２】
2010042047.tif 000014
【図１３】
2010042047.tif 000015